(57)【要約】【課題】長期間の使用状態の情報を得るために、施錠又は解錠の総数情報を得ることができる錠前のカウンタ装置を提供すること。【解決手段】錠箱内のカウンタケースと、錠箱内の駆動手段の駆動力により作動すると共に、先端部がカウンタケースに設けられた大径の初期回転体の係合歯と係脱する作動杆を有する従動手段と、カウンタケースの一側壁に配設され、かつ、初期回転体の内周に設けられ突起と係脱する第１の桁送り用小歯車と、この第１の桁送り用小歯車と噛合する伝動歯車を有する第２回転体を含み、初期歯車の回転作動後に複数個の桁送り手段を介して表示度数が加算されるようにカウンタケースの固定軸に順方向にそれぞれ回転可能に設けられた複数枚のカウント表示用回転体を備える錠前のカウンタ装置。【選択図】図９
2008101353.tif 000002
【特許請求の範囲】
【請求項１】
錠箱内の駆動手段の駆動力により作動する作動杆を有する従動手段と、施錠時、前記作動杆に連動するように錠箱内のカウンタケースに軸支されたレバー状の送り係合片と、この送り係合片の爪と係脱する係合歯を有すると共に前記カウンタケースに支持された回転軸の爪車と、前記回転軸と共働する少なくとも一つの小歯車と噛合すると共に該小歯車よりも歯数が多く設定された大径の初期歯車と、この初期歯車の回転作動後に複数個の桁送り手段を介して表示度数が加算されるようにカウンタケースの固定軸に順方向にそれぞれ回転可能に設けられた複数枚のカウント表示用回転体を備える錠前のカウンタ装置。
【請求項２】
請求項１に於いて、従動手段の作動杆は、デッドボルトの係合部に押圧されると、従動手段のガイドに案内されながら水平移動することを特徴とする錠前のカウンタ装置。
【請求項３】
請求項１に於いて、カウンタケース内には、カウント表示用回転体を案内する筒状の支持部材が設けられ、該支持部材は、前記回転体に設けられた桁送り用突起を通す開口と、桁送り用小歯車を支持する支持板部とを有することを特徴とする錠前のカウンタ装置。
【請求項４】
請求項１に於いて、爪車と共に回転する小歯車と初期回転体の歯車比は、小歯車が十回転動作をした時に、初期回転体が一回転するように設定されていることを特徴とする錠前のカウンタ装置。
【請求項５】
請求項１に於いて、カウンタケースは、引き抜き可能に配設されていることを特徴とする錠前のカウンタ装置。
【請求項６】
請求項１に於いて、カウンタケースは、表示窓から見える標識が縦一連に見えるように配設されていることを特徴とする錠前のカウンタ装置。
【請求項７】
錠箱内のカウンタケースと、錠箱内の駆動手段の駆動力により作動すると共に、先端部がカウンタケースに設けられた大径の初期回転体の係合歯と係脱する作動杆を有する従動手段と、カウンタケースの一側壁に配設され、かつ、初期回転体に設けられ突起と係脱する第１の桁送り用小歯車と、この第１の桁送り用小歯車と噛合する伝動歯車を有する第２回転体を含み、初期歯車の回転作動後に複数個の桁送り手段を介して表示度数が加算されるようにカウンタケースの固定軸に順方向にそれぞれ回転可能に設けられた複数枚のカウント表示用回転体を備える錠前のカウンタ装置。
【請求項８】
請求項７に於いて、従動手段４５Ａの作動杆４８Ａを案内するガイド４７Ａが、カウンタケース１４Ａに一体に成形されていることを特徴とする錠前のカウンタ装置。
【請求項９】
請求項７に於いて、錠箱内の駆動手段は、ダルマ７であることを特徴とする錠前のカウンタ装置。
【発明の詳細な説明】
【技術分野】
【０００１】
本発明は、錠前のカウンタ装置に関する。
【背景技術】
【０００２】
特許文献１の明細書本文と第７図には、駐車料金に相当する投入硬貨をカウントするカウンタが記載されている。このカウンタは、箱状のカウンタ本体５６と、このカウンタ本体に横架された固定軸５８に回転可能に設けられた複数の目盛円盤（表示板）５７と、各目盛円盤の側壁に設けられた各小歯車５９と、前記固定軸と平行に配設された回転軸６０に基端部が取り付けられ、一方、二股状の係合端部が前記各小歯車の中の初期歯車に付勢された状態で係合すると共に、初期歯車を一目盛分づつ回転させる二股操作片６２と、各小歯車の中にそれぞれ設けられた桁送り用ギヤー６４とを備え、前記二股操作片６２は、硬貨の投入に起因して作動する作動片５２並びに操作レバー６３を介して初期歯車を一目盛分回転させるように作動する（便宜上、公報の符号を入れた）。
【０００３】
しかし、この特許文献１に記載のカウンタは、駐車料金としての投入硬貨をカウントすることを目的とすることから、それ程大きな単位  （例えば数十万、数百万など）の使用度数の情報を得ることができないという問題点がある。
【０００４】
また、特許文献２には、ドアの施錠、解錠回数を記憶するメモリ機構付のドア錠が記載されている。この特許文献２は、本発明と同様に錠前用カウンタ装置の一種である。しかしながら、特許文献２の錠前のカウンタ装置は、留守中に第三者が住居に侵入したか否かの情報を得ることを目的とするものであることから、爪車等の構成は、特許文献１と同様に大きな単位を必要とするものではない。すなわち、特許文献２の錠前用カウンタ装置は、サムターン軸に設けられたピニオンと、該ピニオンに噛合するラックと、シリンダ錠の施・解錠又はサンターンの操作力（ダルマの回転）によって後退動する作動杆と、該作動杆の作動によって回転する１枚の爪車と、爪車の外周の記号を表示する表示窓を有するハウジングとから成る。
【０００５】
その他特許文献３には、カウンタの一般的な構成が記載されているが、特許文献３のカウンタは、計数表示を行う複数の表示板に対するサイドの規制構造に関するものであり、例えば錠前を長い間使用した場合における施錠又は解錠の総数情報（例えば数百万回施・解錠したかという情報）を得るためのものではない。
【特許文献１】実公平２−１５１７７号公報
【特許文献２】特開平１０−１５９４１０号公報
【特許文献３】公開実用昭和５６−１４５７５６号公報
【発明の開示】
【発明が解決しようとする課題】
【０００６】
本発明の所期の目的は、錠前の長期的な使用に伴う耐久性、修理箇所、改良すべき箇所等に関する情報を得るために、施錠又は解錠の総数情報を得ることができる錠前のカウンタ装置を提供することである。第２の目的は、所期の目的を達成するために、合理的な構成により、大きな単位（例えば数十万、数百万、数千万など）の使用度数の情報を得ることができることである。第３の目的は、表示用の回転体をスムースかつ安定的に案内させることができることである。第４の目的は、従動手段に対する駆動手段の構成をシンプル（簡易）な構成にすることである。その他カウンタケースを錠箱内に簡単に装着乃至錠箱から抜き取ることができることである。
【課題を解決するための手段】
【０００７】
本発明の錠前のカウンタ装置は、錠箱内の駆動手段の駆動力により作動する作動杆を有する従動手段と、施錠時、前記作動杆に連動するように錠箱内のカウンタケースに軸支されたレバー状の送り係合片と、この送り係合片の爪と係脱する係合歯を有すると共に前記カウンタケースに支持された回転軸の爪車と、前記回転軸と共働する少なくとも一つの小歯車と噛合すると共に該小歯車よりも歯数が多く設定された大径の初期歯車と、この初期歯車の回転作動後に複数個の桁送り手段を介して表示度数が加算されるようにカウンタケースの固定軸に順方向にそれぞれ回転可能に設けられた複数枚のカウント表示用回転体を備えることを特徴とする。
【０００８】
また、本発明の錠前のカウンタ装置は、錠箱内に設けたカウンタケースと、錠箱内に配設され、かつ、錠前の駆動手段の駆動力により作動すると共に、先端部が前記カウンタケースに設けられた大径の初期回転体の外周に設けられた係合歯と係脱する作動杆を有する従動手段と、カウンタケースの一側壁に配設され、かつ、初期回転体の内周に設けられ突起と係脱する第１の桁送り用小歯車と、この第１の桁送り用小歯車と噛合する伝動歯車を有する第２回転体を含み、前記前初期歯車の回転作動後に複数個の桁送り手段を介して表示度数が加算されるようにカウンタケースの固定軸に順方向にそれぞれ回転可能に設けられた複数枚のカウント表示用回転体を備えることを特徴とする。
【発明の効果】
【０００９】
（１）耐久性、修理点、改良点等に関する情報を得るために、施錠又は解錠の総数情報を得ることができる錠前のカウンタ装置を提供することができる。
（２）所期の目的を達成するために、合理的な構成により、大きな単位（例えば数十万、数百万、数千万など）の使用度数の情報を得ることができる。
（３）筒状支持部材を設けたので、表示用の回転体をスムースかつ安定的に案内させることができる。
（４）従動手段に対する駆動手段の構成をシンプル（簡易）な構成にすることができる。付言すると、ダルマやデッドボルトを著しく改良する必要がない。
（５）その他カウンタケースを錠箱内に簡単に装着乃至錠箱から取り外しできることができる。
【発明を実施するための最良の形態】
【００１０】
以下、図１乃至図６に示す本発明を実施するための最良の形態により説明する。
【００１１】
（１）発明の実施の環境
図１は発明の実施の環境を示す概略説明図である。図１に於いて、１は、例えば建物の開口を形成する戸枠、２は戸枠１の戸先側の縦枠内に取り付けられる受け金具、３は戸枠１の開口を開閉する開閉体（開き戸や引戸）、Ｘは開閉体３の戸先側の内部又は内壁面に取付けられた錠前である。そして、Ｙは錠箱４内に設けられた錠前のカウンタ装置で、本実施例では、このカウンタ装置Ｙは、デッドボルト５の真上に配設されている。周知のように、錠前Ｘの錠箱４は、前面にフロント４ｃを有するケース身４ａと、このケース身４ａの一側開口を閉鎖するケース蓋４ｂから構成されている。カウンタ装置Ｙは、望ましくはデッドボルト５又はダルマ７の付近に配設する。
【００１２】
（２）錠前Ｘの主な構成部材
５はフロント４ｃの出入り口６を基準に進退動するデッドボルト、７は図示しない支持座に回転自在に設けられた当業者用語のダルマ、８はデッドボルト５の内端部（後端部）側の下方空間に配設されたデッドストッパー、９はデッドストッパー８と前記ダルマ７との間に配設され、かつ、デッドストッパー８を係合解除の方向へと押し下げることができる押し下げ部材である。
【００１３】
しかして、デッドボルト５の内端部の上部には、逆ハの字形状の傾斜面を有する第１係合凸部５ａと第２係合凸部５ｂが形成されている。これら第１係合凸部５ａ及び第２係合凸部５ｂの不番の傾斜面には、ダルマ７の半径外方向に延伸する駆動腕７ａが選択的に押圧係合する。
【００１４】
デッドボルト５は、ダルマ７の駆動力により、例えばデッドボルト５の内端部側に形成された不番の水平案内長孔に係合する案内ピン１１等を介して進退動する。図１はデッドボルト５がダルマ７の駆動力により、受け金具２に係入した施錠時を示している。一方、図２はデッドボルト５がダルマ７の駆動力により、錠箱４内へと後退した解錠時を示している（ダルマ７、デッドストッパー８等を省略）。
【００１５】
なお、細部的事項ではあるが、デッドストッパー８の基端部は、固定軸（符号省略）に軸支されていると共に、該デッドストッパー８をデッドボルト５に係合する方向へと常時付勢する付勢バネ（符号省略）を備えている。また、十手形状の押し下げ部材９は、一端部が駆動腕７ａの先端部に軸支され、他端部は錠箱の下部に設けた案内部（符号省略）に案内されていると共に、復帰バネ（符号省略）に付勢されている。
【００１６】
また、本実施例を説明する各図面は、あくまでも技術的思想を説明するためのものであり、各構成部材の形状、大きさ等は実際の設計図に即したものではない。特に、後述する錠前のカウンタ装置Ｙの爪車１６、送り係合片１８、単数又は複数個の小歯車（本実施例）や桁送り用突起３６並びに桁送り用小歯車３７、外周に数字、記号、模様等の標識を有する表示用回転体等の形状や大きさ（寸法）は、説明の便宜上描いたものである。であるから、例えば爪車１６と共に回転する複数個の小歯車３１、３３（本実施例）の外歯の歯数（実施例で１０）に対して初期の回転体２５の内歯の歯数（実施例では１００）は非常に多数なので、図面上略図であっても、小歯車３１、３３の外歯と初期回転体２５の内歯の歯車比は、例えば「十分の１」である。
【００１７】
付言すると、本実施例では、爪車１６と共働する小歯車３１、３３の外歯を介して回転する大径の初期回転体２５は、一や十の位の低い単位数ではなく、百単位の数の表示体として取り扱っている。したがつて、２番目以降の回転体は千単位、万単位等の回転表示板である。
【００１８】
（３）錠前のカウンタ装置
Ｙは錠前用のカウンタ装置である。このカウンタ装置Ｙは、ダルマ７の駆動力によって作動するデッドボルト５を介して（例えば第１実施例）、又はデッドボルト５を介さないで（第４実施例）、或いは又ダルマ７と作動杆４８との間に連動手段を設けて、或いはデッドホルト５に連動手段を設けて（本発明を含む利用発明）施錠手段の施錠又は解錠の使用度数をカウントする。
【００１９】
まず、図１で示すように、断面チャンネル形状の対向支持片１３がケース身４ａの幅広側壁の内壁面に固定され、この前後一対の対向支持片１３に施錠手段の施・解錠の使用度数の情報を表示する表示窓１４ｅを有するカウンタケース１４が固定的に組み込まれる。
したがって、カウンタケース１４は、錠箱４のフロント４ｃとダルマ７との空間部分１２或いはデッドボルト５の真上の空間部分１２に固定的に位置している。ここで「固定的」とは、カウンタケース１４が、少なくともその周方向に回転しないことを意味し、ケース蓋４ｂをケース身４ａから取り外した場合には、カウンタケース１４を錠箱側の対向支持片１３から引き抜くことができる。
【００２０】
（４）カウンタケースの軸、回転体
カウンタケース１４は、その一側壁１４ａに軸支されたレバー状の送り係合片１８、この送り係合片１８の爪１８ａと係脱する係合歯１６ａを有すると共に前記一側壁１４ａに支持された回転軸２２の爪車１６と、回転軸２２と共働する少なくとも一つの小歯車３３と噛合すると共に該小歯車３３よりも歯数が多く設定された大径の初期歯車（第１実施例等では、この初期歯車の外周にも標識を設けても良い）２５と、この初期歯車２５の回転作動後に複数個の桁送り手段３６、３７を介して表示度数が加算されるようにカウンタケース１４の固定軸２１に順方向にそれぞれ回転可能に設けられた複数枚のカウント表示用回転体２６乃至３０を備える。
【００２１】
そして、カウンタケース１４の構成部材を作動し得るように、カウンタケース１４の下方にガイド４７に案内される作動杆４８を有する従動手段４５が配設されている。
【００２２】
ここでは軸や軸に軸装された回転体を説明する。さて、カウンタ装置Ｙは、カウンタケース１４の対向する両側壁（側板）１４ａ、１４ｂの中央部に固定軸２１が横設軸架されている。本実施例では、固定軸２１の一端部（図５では右側）には、爪車用の回転軸２２が外嵌合している。つまり、固定軸２１の一端部は、カウンタケース１４の一側壁１４ａの軸孔に支持された爪車用回転軸２２に挿入された状態で固定的に支持されている。
【００２３】
一方、固定軸２１の他端部（図５では左側）は、カウンタケース１４の他側壁１４ｂ又は底壁内面に固定された二股状の規制支持板２３に弾性的に挟持されている。固定軸２１は、本実施例の規制支持板２３、カウンタケース１４の壁に固定された図示しない弾性片、固定手段等により適宜に固定される。なお、設計如何によっては、前記規制支持板２３を次に説明する筒状支持部材の端部に成形しても良い。
【００２４】
次に、２４はカウンタケース１４内に固定的に設けられた筒状支持部材である。この筒状支持部材２４は、各回転体を案内する機能、桁送り用突起３６の回転を許容する機能、桁送り用小歯車３７を支持する機能、表示用回転体２６乃至３０に摺動抵抗を与える機能等を有している（後述）。
【００２５】
次に、固定軸２１には複数枚のカウント表示用の回転体（実施例によっては２５も含む）２６、２７、２８、２９、３０が順方向にそれぞれ回転可能に軸装されている。
【００２６】
一方、回転軸２２の内端部側には、初期回転体２５の内歯２５ａの歯数（実施例では１００枚）に対してそれぞれ歯数が少なく（実施例では１０枚）に設定された複数個の小歯車が配設されている。ここでは、説明の便宜上、回転軸２２の内端部２２ａに直接固定されたものを第１小歯車３１、この第１小歯車３１に噛合するようにカウンタケース１４の一側壁１４ａに軸支されたものを第２小歯車３２、この第２小歯車３２に噛合するようにカウンタケース１４の一側壁１４ａに軸支され、かつ、初期回転体２５の内歯２５ａに噛合するものを第３小歯車３３という。
【００２７】
なお、図３で示すように、爪車１６と共働する第１小歯車３１と第３小歯車３３の比率は同じであることが条件である。また、設計如何によっては、小歯車は一つでも良い。
【００２８】
第１小歯車３１乃至第３小歯車３３は、爪車１６と回転軸２２を介して共働するものであるから、爪車１６の爪（係合歯）１６ａが一つ進むと、第１小歯車３１並びに仲介歯車３２を介して回転する第３小歯車３３も同時に一つ進む。
【００２９】
また、前述したように、爪車１６と共に回転する小歯車３３の外歯の歯に対して初期回転体２５の内歯の歯は、例えば小歯車３３の歯が一つ進むと初期回転体２５のそれも一つ進むように設定されていることから、爪車１６が一回転すると、初期の回転体２５は「百分の十」回転する。付言すると、爪車１６が十回転すると、初期の回転体２５は一回転する（十分の一）。
【００３０】
であるから、１番目の表示用回転体２６は千単位数の回転表示板、２番目の表示用回転体２７は万単位の回転表示板、３番目の表示用回転体２８は十万単位の回転表示板、４番目の表示用回転体２９は百万単位の回転表示板、そして、最後の表示用回転体３０は千万単位の回転表示板である。
【００３１】
上記のように構成すると、千万単位の回転表示板３０も錠箱４内のスペースを活用できる範囲で可能である。なお、設計如何によっては、初期回転体２５も百単位の回転表示板にできることは前述した通りである。
【００３２】
（５）カウンタケース、規制支持片、支持部材等
ここで、カウンタケース１４、規制支持片２３、筒状支持部材２４等を詳細に説明する。まず、カウンタケース１４の形態は、図５で示すように、両側壁１４ａ、１４ｂの中央部に軸孔を有する中空ドラムである。したがって、符号の１４ｃは周胴部分に相当する。図３で示すように、この周胴部分１４ｃの外面の左右に錠箱側の対向支持片１３にスライド係合する一対の係合突片１４ｄが設けられている。カウンタケース１４は左右一対の係合突片１４ｄを介して錠箱４に取り外し自在に組み込まれる。つまり、カウンタケース１４は、一対の係合突片１４ｄを介して錠箱４内に固定的に差込まれ、又は引き抜かれる。
【００３３】
また、周胴部分１４ｃの適宜箇所には、図４で示すように横方向に表示窓１４ｅが形成されている。この表示窓１４ｅからは、表示用回転体２６（図５では右側の表示用回転体）乃至一番単位の大きい回転体３０（図５では一番左側の回転体）の各数字の一つ一つが横一連に見える。これらの各数字が長期間の使用度数を示す情報である。
【００３４】
次に、規制支持板２３について説明する。規制支持板２３は、本実施例では固定軸２１を固定すると共に、一番単位の大きい最後の回転体３０を規制する。したがって、規制支持板２３は、カウンタケース１４の他側壁１４ｂ側の内部に固定的に組み込まれている。しかして、規制支持板２３は、他側壁１４ｂの内壁面に固定される取付け基端部２３ａと、この取付け基端部２３ａの上端部から二股状に延びる弾性の挟持部分２３ｂとから成り、前記弾性の挟持部分２３ｂで固定軸２１を固定的に挟持している。付言すると、固定軸２１はカウンタケース１４の両側板１４ａ、１４ｂの中央部に前記弾性の規制支持板２３と回転軸２２にそれぞれ固定的に支持された状態で横設軸架されている。
【００３５】
次に、円形開口を有する筒状支持部材２４について説明する。前述したように筒状支持部材２４は、回転体を案内する機能、桁送り用突起３６を通す機能、桁送り用小歯車３７を支持する機能、支持板部２４ａで回転体に抵抗を与える機能等を有している。
図６はこれらの機能を示す概略図である。この図６を参照にして説明すると、２４ａは内周壁に半径内方向に突設された複数枚の支持板部で、各支持板部２４ａは半径内方向に所要の長さ突出している。
【００３６】
これらの支持板部２４ａは、設計如何によっては、例えば環状に形成しても良いが、本実施例では上下にそれぞれ対向して設けられている。固定軸２１の軸方向に併設する各支持板部２４ａの間（嵌合空間）３５には、各回転体がそれぞれ摺動可能に嵌合する。したがって、各回転体は自由に空転しないように各支持板部２４ａの内壁から抵抗を受けている。
【００３７】
また、各支持板部２４ａの各一側面には、各回転体の一側面にそれぞれ固定された逆向きＬ形状のツク（突起）３６と係合するカウント送り用小歯車３７が不番の軸を介して設けられている。
【００３８】
付言すると、回転軸２２と共働する最初の桁送り用の第３小歯車３３は、カウンタケース１４の一側壁１４ａに配設されているが、第３小歯車３３と同様の機能を発揮する桁送り手段、例えば桁送り用突起３６は回転体２５乃至２９にそれぞれ固定され、また、各回転体２５乃至２９側のツク（突起）３６とそれぞれ係合する各桁送り用小歯車３７は、カウンタケース１４とは別個の筒状支持部材２４の各支持板部２４ａにそれぞれ回転可能に配設されている。
【００３９】
（６）爪車１６、送り係合片１８、付勢バネ１９
爪車１６は回転軸２１の突出外端部に固定的に設けられ、その外周に合計１０個の係合歯１６ａを有している。一方、一端部（図では上端部）に前記係合歯１６ａと係脱する爪１８ａを有するレバー状の送り係合片１８は、カウンタケース１４の一側壁の外面１４ａに枢支ピン４１を介して軸支されている。そして、送り係合片１８の前記爪１８ａが爪車１６の係合歯１６ａに係合するように付勢する付勢バネ１９が一側壁の外面１４ａの周端部の適宜箇所に設けられている。付勢バネ１９は、送り係合片１８の一端部（図では上端部）の側面に圧接する板バネが用いられている。なお、送り係合片１８の下端部は水平方向に折り曲げ形成され、次に説明する従動手段４５の作動杆４８と係合している。
【００４０】
（７）駆動手段、従動手段、作用
本実施例の駆動手段（作動杆４８に対する部材）は、前述したようにダルマ７の駆動力によって作動するデッドボルト５である。したがって、デッドボルト５の付近には、デッドボルト５に連動する従動手段４５が配設されている。
【００４１】
図３で示すように、本実施例の従動手段４５は、デッドボルト５の直ぐ上方或いはカウンタケース１４の下方に錠箱４に架設された水平支持板４６を介して設けられた筒状ガイド４７と、この筒状ガイド４７を貫通する作動杆４８と、該作動杆４８の内部に位置付けられ、かつ、一端部が筒状ガイド４７のバネ端支持部４７ａに支持されていると共に、他端部は前記作動杆４８の内壁面に圧接する復帰バネ４９とから成る。そして、作動杆４８のフランジ状先端部４８ａに送り係合片１８の下端部１８ｂが係合し、一方、作動杆４８のフランジ状後端部４８ｂは、デッドボルト５の第１係合凸部５ａが押圧する。
【００４２】
であるから、図２で示すように、デッドボルト５が錠箱４内へと後退すると、作動杆４８は復帰バネ４９のバネ力により後退するので、送り係合片１８は付勢バネ１９のバネ力に抗して枢支ピン４１を支点に反時計方向へと回転し、その爪１８ａは爪車１６の係合歯１６ａから離れる。
【００４３】
一方、図１で示すように、施錠時、デッドボルト５がダルマ７の駆動力によって矢印方向へと前進すると、送り係合片１８の下端部１８ｂを係止している作動杆４８は復帰バネ４９のバネ力に抗して前進することから、送り係合片１８は付勢バネ１９のバネ力により枢支ピン４１を支点に時計方向へと回転し、その爪１８ａは爪車１６の次の係合歯１６ａに係合する（係合歯１６ａを一つ送る）。係合歯１６ａが一つ進む（送られる）と、前述したように回転軸２２と共働する第１小歯車３１乃至第３小歯車３３も同時に回転作動することから、第１小歯車３１と同一比率の第３小歯車３３と噛合する初期回転体２５は「百分の１」回転する。
【実施例】
【００４４】
発明の実施の形態で示した第１実施例に於いて、カウンタケース１４は、錠箱４内に横方向に配設されているが、図７及び図８で示すように縦方向に配設しても良い（便宜上、これを「第２実施例」という）。
【００４５】
このように構成すると、錠箱４のケース蓋４ｂを外したときには、その表示窓１４ｅから全ての回転体の標識が縦一連に見える。なお、回転体の標識は数字のみならず、使用度数を記号や模様で表示しても良い。また、錠箱４の適宜箇所にも表示窓を形成しても良い（任意的事項）。
【００４６】
次に、図９乃至図１２に示す第３実施例について説明する。なお、第１実施例の構成と同一部分は、同一又は同様の符号を援用して重複説明を回避する。
【００４７】
第３実施例の錠前のカウンタ装置は、錠箱４内に設けたカウンタケース１４Ａと、一方、錠箱４内に配設され、かつ、錠前の駆動手段（この実施例ではデッドボルト）５Ａの駆動力により作動すると共に、先端部４８ａが前記カウンタケース１４Ａに設けられた大径の初期回転体２５Ａの外周に設けられた係合歯２５ｂと係脱する作動杆４８Ａを有する従動手段４５Ａと、一方、カウンタケース１４Ａの一側壁１４ａに配設され、かつ、初期回転体２５Ａの内周に設けられ突起３６Ａと係脱する第１の桁送り用小歯車３７Ａと、この第１の桁送り用小歯車３７Ａと噛合する伝動歯車３８を有する表示用第２回転体２６Ａを含み、前記前初期歯車２５Ａの回転作動後に複数個の桁送り手段３６、３７を介して表示度数が加算されるようにカウンタケースの固定軸２１Ａに順方向にそれぞれ回転可能に設けられた複数枚のカウント表示用回転体２７、２８、２９、３０を備える。
【００４８】
したがって、この第２実施例は、第１実施例とは、次に列挙する点が主に異なる。
（ａ）まず、駆動手段としのデッドボルト５Ａの後端部上辺には、従動手段４５Ａの作動杆４８Ａを押圧する係合突部５ｃが設けられている。この係合突部５ｃは、ダルマ７の駆動腕７ａが選択的に係脱する係合凸部５ａ、５ｂと別個のものである。
（ｂ）次に、従動手段４５Ａの作動杆４８Ａを案内するガイド４７Ａは、カウンタケース１４Ａの周胴部分１４ｃの一側壁寄りの下部に形成されている。つまり、ガイド４７Ａはカウンタケース１４Ａと別体ではなく、カウンタケース１４Ａに一体に成形されている。
（ｃ）次に、レバー状の送り係合片１８及び送り係合片の爪と係脱する回転軸の爪車１６が存在しない反面、従動手段４５Ａの作動杆４８Ａの非爪状の先端部４８ａが直接大径の初期回転体２５Ａの係合歯２５ｂと係脱している。
（ｄ）次に、初期回転体２５Ａは、カウンタケース１４Ａの一側壁１４ａの内壁に突壁状に周設した小突起ガイド１４ｆに案内されている。
（ｅ）さらに、初期回転体２５Ａの内周の突起３６Ａと係脱する第１の桁送り用小歯車３７Ａと噛合する伝動歯車３８を有する表示用第２回転体２６Ａは、固定軸２１Ａの端部に回転可能に軸装されている。付言すると、この実施例は回転軸を有せず、固定軸２１Ａのみがカウンタケース１４Ａの両側壁１４ａ、１４ｂに横設軸架されている。
（ｆ）上記のように構成すると、第１実施例と同様に所期の目的を達成することができると同時に、従動手段４５Ａに対する駆動手段５Ａの構成を極力シンプルな構成にできるのみならず、カウンタ装置の構成も同時にシンプル化することができる。
【００４９】
次に、図１３及び図１４に示す第４実施例について説明する。なお、第３実施例の構成と同一部分は、同一又は同様の符号を援用して重複説明を回避する。
【００５０】
この第４実施例に於いて、前述した第３実施例と主に異なる点は駆動手段である。すなわち、第３実施例では、駆動手段としのデッドボルト５Ａの後端部上辺に、従動手段４５Ａの作動杆４８Ａを押圧する係合突部５ｃが設けているが、この第４実施例では、ダルマ７の駆動腕７ａの先端部で「直接」作動杆４８Ａの後端部４８ｂを押圧する。
【００５１】
このように、カウンタ装置Ｙは、ダルマ７の駆動力によって作動するデッドボルト５、５Ａを介して（第１乃至第３実施例、）、又はデッドボルト５、５Ａを介さないで直接（第４実施例）駆動力を得て、かつ、該駆動力によって回転又は前進する作動杆を介して施錠手段の施錠又は解錠の使用度数をカウントする。
【００５２】
なお、特に図示しないが、本発明の主要部をそのまま利用して、例えば従動手段（４５、４５Ａ）の作動杆（４８、４８Ａ）を作動させる連動手段（例えばクランク機構、ラックとピニオンと揺動腕の組み合わせ機構等）を加味することも出来る。
【産業上の利用可能性】
【００５３】
本発明は、主に建具や錠前の業界で利用される。
【図面の簡単な説明】
【００５４】
図１乃至図６は本発明の第１実施例を示す各説明図。図７及び図８は本発明の第２実施例、図９乃至図１２は本発明の第３実施例、図１３及び図１４は本発明の第４実施例である。
【図１】第１実施例の実施環境を示す概略説明図（施錠時）。
【図２】第１実施例の実施環境を示す概略説明図（解錠時。ダルマ等を省略）。
【図３】主要部の概略説明図。フロクト側から見た説明図（カウンタケースの内部構造を示す図も含む）。
【図４】外観構成を示す概略説明図。
【図５】カウンタケースの内部構造も含む概略説明図。
【図６】カウンタケースの内部構造の一部拡大説明図。
【図７】第２実施例の実施環境を示す概略説明図（施錠時）。
【図８】主要部を底面側から見た概略説明図。
【図９】第３実施例の実施環境を示す概略説明図（施錠時）。
【図１０】カウンタケースの内部構造の一部拡大説明図。
【図１１】初期歯車乃至伝動歯車の構成を示す概略説明図。
【図１２】駆動手段と従動手段と初期歯車の関係を示す概略説明図。
【図１３】第３実施例の実施環境を示す概略説明図（施錠時）。
【図１４】駆動手段と従動手段と初期歯車の関係を示す概略説明図。
【符号の説明】
【００５５】
Ｘ…錠前、１…戸枠、２…受け金具、３…開閉体、４…錠箱、５、５Ａ…デッドボルト、５ａ…第１係合凸部、５ｂ…第２係合凸部、５ｃ…係合突部、７…ダルマ、Ｙ…カウンタ装置、１２…空間部分、１３…対向支持片、１４、１４Ａ…カウンタケース、１４ａ、１４ｂ…両側壁（側板）、１４ｃ…周胴部分、１４ｄ…係合突片、１４ｅ…表示窓、４ｆ…小突起ガイド、１６…爪車、１６ａ…係合歯、１８…送り係合片、８ａ…爪、１９…付勢バネ、２１、２１Ａ…固定軸、２２…回転軸、２３…規制支持板、２４…筒状支持部材、２４ａ…各支持板部、２５、２５Ａ…初期歯車、２５ａ…歯、２５ｂ…係合歯、２６乃至３０…カウント表示用回転体、２６Ａ…表示用第２回転体、３１…小歯車（第１小歯車）３２…第２小歯車（仲介小歯車）、３３…小歯車（第３小歯車）、３５…嵌合空間、３６…桁送り手段（桁送り用突起）、３６Ａ…突起、３７…桁送り手段（桁送り用小歯車）、３７Ａ…第１の桁送り用小歯車、３８…伝動歯車、４１…枢支ピン、４５、４５Ａ…従動手段、４６…水平支持板、４７、４７Ａ…筒状ガイド、４８、４８Ａ…作動杆、４８ａ…先端部、４８ｂ…後端部、４９…復帰バネ。
【図１】
2008101353.tif 000003
【図２】
2008101353.tif 000004
【図３】
2008101353.tif 000005
【図４】
2008101353.tif 000006
【図５】
2008101353.tif 000007
【図６】
2008101353.tif 000008
【図７】
2008101353.tif 000009
【図８】
2008101353.tif 000010
【図９】
2008101353.tif 000011
【図１０】
2008101353.tif 000012
【図１１】
2008101353.tif 000013
【図１２】
2008101353.tif 000014
【図１３】
2008101353.tif 000015
【図１４】
2008101353.tif 000016